(57)【要約】【課題】内型枠がない緩衝体であっても廃棄体を収納空間に収納する際に緩衝体を傷つけることがない廃棄体パッケージの製造方法を提供すること。【解決手段】粘土系遮水材料が締め固められた円環状ブロック５を水平方向に複数連結することにより、収納空間４が水平方向に延在する円筒状の緩衝体３を構成する緩衝体組立工程と、収納空間４の延在方向全域にわたり円柱状の廃棄体２を支持する支持部材Ｓを収納空間４の下方域に設置する支持部材設置工程と、設置した支持部材Ｓに廃棄体２を支持させて、廃棄体２を収納空間４に収納する廃棄体収納工程と、収納した廃棄体２と緩衝体３との間から支持部材Ｓを取り除く支持部材除去工程とを有するので、内型枠がない緩衝体３であっても廃棄体２を収納空間４に収納する際に緩衝体３を傷つけることがない。また、廃棄体２と緩衝体３との間に支持部材Ｓが残ることもない。【選択図】図５
2011092901.tif 000002
【特許請求の範囲】
【請求項１】
処分坑道に横置きに設置され、埋設処分される廃棄体パッケージの製造方法であって、
粘土系遮水材料が締め固められた円環状のブロックを水平方向に複数連結することにより、収納空間が水平方向に延在する円筒状の緩衝体を構成する緩衝体組立工程と、
収納空間の延在方向全域にわたり円柱状の廃棄体を支持する支持部材を収納空間の下方域に設置する支持部材設置工程と、
設置した支持部材に前記廃棄体を支持させて、前記廃棄体を前記収納空間に収納する廃棄体収納工程と、
収納した廃棄体と緩衝体との間から前記支持部材を取り除く支持部材除去工程と
を有することを特徴とする廃棄体パッケージの製造方法。
【請求項２】
前記支持部材除去工程は、緩衝体を回転させることにより廃棄体と緩衝体との間に支持部材の肉厚よりも大きな間隙を設け、前記支持部材を取り除くことを特徴とする請求項１に記載の廃棄体パッケージの製造方法。
【請求項３】
前記支持部材除去工程は、前記支持部材を取り除くことにより生じた廃棄体と緩衝体との間隙にペレット状または顆粒状に調整された粘土系遮水材料を充填することを特徴とする請求項１または２に記載の廃棄体パッケージの製造方法。
【発明の詳細な説明】
【技術分野】
【０００１】
本発明は、廃棄物が封入された廃棄体を緩衝体が囲繞する廃棄体パッケージの製造方法に関する。
【背景技術】
【０００２】
本願の出願人は、処分坑道に横置きに設置され、埋設処分される廃棄体パッケージおよび廃棄体パッケージの製造方法を提案している。図１１に示すように、廃棄体パッケージ１０１は、廃棄物が封入された廃棄体１０２を緩衝体１０３が囲繞したもので、廃棄体１０２と廃棄体１０２を囲繞する緩衝体１０３とにより構成される。廃棄体１０２は、円柱状に形成され、廃棄体１０２の軸方向を水平方向に向けた状態で緩衝体１０３に囲繞される。緩衝体１０３は、粘土系遮水材料（緩衝材）を締め固めたもので、内部に廃棄体１０２を収納する収納空間１０４を有しており、収納空間１０４の軸方向を水平方向に向けた状態で設置される。緩衝体１０３は、円環状に形成された複数の円環状ブロック１０５と、円盤状に形成された一対の円盤状ブロック１０６とにより構成されている。複数の円環状ブロック１０５は連結することにより内部に上述した収納空間１０４が形成され、一対の円盤状ブロック１０６が収納空間１０４の一方と他方とを閉塞する。円環状ブロック１０５は、円筒の外型枠１０５１と円筒の内型枠１０５２との間に撒き出した粘土系遮水材料（緩衝材）１０５０を締め固めたものであり、締め固めた粘土系遮水材１０５０は上述した緩衝体１０３を構成する。そして、外型枠１０５１はそのまま円環状ブロック１０５の外殻を構成し、内型枠１０５２はそのまま円環状ブロック１０５の内殻を構成する。したがって、外型枠１０５１は緩衝体１０３の外周を被覆し、内型枠１０５２は緩衝体１０３の内周を被覆することになり、円環状ブロック１０５の搬送作業や円環状ブロック１０５の定置作業における緩衝体１０３の損傷を防止する。円盤状ブロック１０６は、円筒かつ有底の外型枠１０６１の内部に撒き出した粘土系遮水材料（緩衝材）１０６０を締め固めたものであり、締め固めた粘土系遮水材１０６０は上述した緩衝体１０３を構成する。そして、外型枠１０６１はそのまま円盤状ブロック１０６の外殻を構成する。したがって、外型枠１０６１は緩衝体１０３の外周を被覆することになり、円盤状ブロック１０６の搬送作業や円盤状ブロック１０６の定置作業における緩衝体１０３の損傷を防止する。
【０００３】
そして、複数の円環状ブロック１０５を接合することにより一体化し、その内部に収納空間１０４を構成する。その後、収納空間１０４に廃棄体１０２を収納することになるが、収納空間１０４を構成する円環状ブロック１０５の内周は内型枠１０５２で被覆されているので、内型枠１０５２は緩衝体１０３の損傷を防止する（たとえば、特許文献１および特許文献２参照）。
【先行技術文献】
【特許文献】
【０００４】
【特許文献１】特開２００７−６９１１２号公報
【特許文献２】特開２００７−１０５６３４号公報
【発明の概要】
【発明が解決しようとする課題】
【０００５】
ところで、円環状ブロック１０５の内周に内型枠１０５１を取り付けたままにすると、廃棄体１０２と緩衝体１０３との間に内型枠１０５２が残ることになるが、この内型枠１０５２は数万年を超える長期間の性能劣化を推定する際の影響因子となるので、好ましくない。
【０００６】
しかしながら、円環状ブロック１０５を接合した後に内型枠１０５２だけを取り除くことは非常に困難であり、収納空間１０４に廃棄体１０２を収納した後に内型枠１０５２だけを取り除くことは不可能である。
【０００７】
一方、内型枠１０５２がない円環状ブロック１０５を接合することにより緩衝体１０３を製造し、その内部が円筒状の収納空間１０４を構成すると、廃棄体１０２を収納空間１０４に収納する際に廃棄体１０２が緩衝体１０３を傷つけ、緩衝体１０３が所望の性能を発揮できない。
【０００８】
本発明は、上記に鑑みてなされたものであって、内型枠がない緩衝体であっても廃棄体を収納空間に収納する際に緩衝体を傷つけることがない廃棄体パッケージの製造方法を提供することを目的とする。
【課題を解決するための手段】
【０００９】
上述した課題を解決し、目的を達成するために、本発明は、処分坑道に横置きに設置され、埋設処分される廃棄体パッケージの製造方法であって、粘土系遮水材料が締め固められた円環状のブロックを水平方向に複数連結することにより、収納空間が水平方向に延在する円筒状の緩衝体を構成する緩衝体組立工程と、収納空間の延在方向全域にわたり円柱状の廃棄体を支持する支持部材を収納空間の下方域に設置する支持部材設置工程と、設置した支持部材に前記廃棄体を支持させて、前記廃棄体を前記収納空間に収納する廃棄体収納工程と、収納した廃棄体と緩衝体との間から前記支持部材を取り除く支持部材除去工程とを有することを特徴とする。
【００１０】
また、本発明は、上述した廃棄体パッケージの製造方法において、前記支持部材除去工程は、緩衝体を回転させることにより廃棄体と緩衝体との間に支持部材の肉厚よりも大きな間隙を設け、前記支持部材を取り除くことを特徴とする。
【００１１】
また、本発明は、上述した廃棄体パッケージの製造方法において、前記支持部材除去工程は、前記支持部材を取り除くことにより生じた廃棄体と緩衝体との間隙にペレット状または顆粒状に調整された粘土系遮水材料を充填することを特徴とする。
【発明の効果】
【００１２】
本発明にかかる廃棄体パッケージの製造方法は、収納空間の延在方向全域にわたり円柱状の廃棄体を支持する支持部材を収納空間の下方域に設置した後、設置した支持部材に廃棄体を支持させて廃棄体を収納空間に収納するので内型枠がない緩衝体であっても廃棄体を収納空間に収納する際に緩衝体を傷つけることがない。また、収納した廃棄体と緩衝体との間から支持部材を取り除くので、廃棄体と緩衝体との間に支持部材が残ることもない。
【図面の簡単な説明】
【００１３】
【図１】図１は、処分坑道に埋設した廃棄体パッケージの構造を示す縦断面図である。
【図２】図２は、緩衝体組立工程を示す図であって、（ａ）は横断面図、（ｂ）は縦断面図である。
【図３】図３は、支持部材設置工程を示す図であって、（ａ）は横断面図、（ｂ）は縦断面図である。
【図４】図４は、廃棄体収納工程において廃棄体の収納開始直前の状態を示す図であって、（ａ）は横断面図、（ｂ）は縦断面図である。
【図５】図５は、廃棄体収納工程において廃棄体の収納途上の状態を示す図であって、（ａ）は横断面図、（ｂ）は縦断面図である。
【図６】図６は、支持部材除去工程において廃棄体と緩衝体との隙間にペレット状または顆粒状の粘土系土質材料を充填する状態を示す図であって、（ａ）は横断面図、（ｂ）は縦断面図である。
【図７】図７は、支持部材除去工程において緩衝体を回転させた状態を示す図であって、（ａ）は横断面図、（ｂ）は縦断面図である。
【図８】図８は、支持部材除去工程において廃棄体と緩衝体との間から支持部材を取り除く状態を示す図であって、（ａ）は横断面図、（ｂ）は縦断面図である。
【図９】図９は、支持部材除去工程において廃棄体と緩衝体との隙間にペレット状または顆粒状の粘土系土質材料を充填する状態を示す図であって、（ａ）は横断面図、（ｂ）は縦断面図である。
【図１０】図１０は、製造した廃棄体パッケージを示す図であって、（ａ）は横断面図、（ｂ）は縦断面図である。
【図１１】図１１は、従来の廃棄体パッケージの構造を示す縦断面図である。
【発明を実施するための形態】
【００１４】
以下に、本発明にかかる廃棄体パッケージの製造方法の実施の形態を図面に基づいて詳細に説明する。なお、この実施の形態によりこの発明が限定されるものではない。
【００１５】
まず、図１に基づいて、本発明の実施の形態である廃棄体パッケージの製造方法により製造される廃棄体パッケージ１について説明する。図１は、処分坑道に埋設した廃棄体パッケージの構造を示す縦断面図である。
【００１６】
図１に示すように、本発明の実施の形態である廃棄体パッケージの製造方法により製造される廃棄体パッケージ１は、処分坑道Ｋに横置きに設置され、埋設処分される。廃棄体パッケージ１は、廃棄物が封入された廃棄体２を緩衝体３が囲繞したもので、廃棄体２と廃棄体２を囲繞する緩衝体３とにより構成される。
【００１７】
廃棄体２は、廃棄物を封入したもので、たとえば、廃棄物がガラスで固化した放射性廃棄物（ガラス固化体）の場合には、オーバーパック（図示せず）と称される金属製の容器に封入されている。廃棄体２は、円柱形状を有しており、処分坑道Ｋに横置きに設置される廃棄体パッケージ１では、廃棄体２の軸方向を水平方向に向けた状態で緩衝体３に囲繞される。
【００１８】
緩衝体３は、粘土系遮水材料（緩衝材）を締め固めたもので、内部に廃棄体２を収納する収納空間４を有しており、収納空間４の軸方向を水平方向に向けた状態で設置される。
【００１９】
緩衝体３は、円環状に形成された複数の円環状ブロック５と円盤状に形成された一対の円盤状ブロック６とにより構成されている。複数の円環状ブロック５は連結することにより、内部に上述した収納空間４が形成され、一対の円盤状ブロック６が収納空間４の一方と他方とを閉塞する。なお、図示の例では、三つの円環状ブロック５と一対（二つ）の円盤状ブロック６とにより緩衝体が構成されている。
【００２０】
円環状ブロック５は、上述したように円環状に形成されており、その外周径は処分坑道Ｋの内周径よりも小さく設定され、その内周径は廃棄体２の外周径よりも大きく設定されている。
【００２１】
円環状ブロック５は、円筒の外型枠５１と円筒の内型枠（図示せず）との間に撒き出した粘土系遮水材料（緩衝材）５０を締め固めたものである。外型枠５１と内型枠とは、軸心を一致させ、同心円を構成するように配設されている。外型枠５１は、金属製、より具体的には鋼製であり、そのまま円環状ブロック５の外殻（鋼殻）となる。したがって、外型枠５１の外周径は、上述した円環状ブロック５の外周径に設定されている。内型枠は、金属製、より具体的には鋼製であり、粘土系遮水材料５０を締め固めた後に取り外される。したがって、内型枠の外周径は、上述した円環状ブロック５の内周径に設定されている。
【００２２】
粘土系遮水材料５０は、ベントナイト系土質材料、あるいはベントナイト系土質材料と骨材とを混練したもので、締め固められた粘土系遮水材料５０は上述した緩衝体３を構成する。
【００２３】
円盤状ブロック６は、上述したように円盤状に形成されており、その外周径は円環状ブロック５の外周径と等しく設定されている。
【００２４】
円盤状ブロック６は、円筒かつ有底の外型枠６１の内部に撒き出した粘土系遮水材料（緩衝材）６０を締め固めたものである。外型枠６１は、金属製、より具体的には鋼製であり、そのまま円盤状ブロック６の外殻（鋼殻）となる。したがって、外型枠６１の外周径は、上述した円盤状ブロック６の外周径（円環状ブロック５の外周径）に設定されている。
【００２５】
粘土系遮水材料６０は、上述した円環状ブロック５を構成する粘土系遮水材料５０と同一のものであって、締め固められて粘土系遮水材料６０は上述した緩衝体３を構成する。
【００２６】
つぎに、本発明の実施の形態である廃棄体パッケージの製造方法を説明する。本発明の実施の形態である廃棄体パッケージの製造方法は、緩衝体組立工程と、支持部材設置工程と、廃棄体収納工程と、支持部材除去工程と、廃棄体封入工程とを有している。
【００２７】
図２に示すように、緩衝体組立工程は、上述した緩衝体３を組み立てる工程であり、緩衝体３は左右一対のローラーレールＲの上で組み立てられる。ローラーレールＲは、上述した円盤状ブロック６および円環状ブロック５の外周を支持するとともに、組み立てられた緩衝体３を回転させるもので、平行に設置された軸Ｒ１と、該軸Ｒ１に回転自在に支承されたローラＲ２とにより構成されている。
【００２８】
緩衝体組立工程では、まず、一つの円盤状ブロック６と三つの円環状ブロック５を順番に搬送し、これらの軸方向が水平方向を向くようにこれらをローラーレールＲ上に定置する。すると、一つの円盤状ブロック６の軸方向と三つの円環状ブロック５の軸方向とが一致し、一つの円盤状ブロック６の外周面と三つの円環状ブロック５の外周面とが面一となり、三つの円環状ブロック５の内周面が面一となる。
【００２９】
その後、外型枠６１（５１）と外型枠５１（５１）とを順番にボルト（図示せず）あるいは機械的継手により緊結もしくは溶接することにより、一つの円盤状ブロック６と三つの円環状ブロック５とを連結する。すると、図２に示すように、収納空間４が水平方向に延在する円筒状の緩衝体３となる。そして、円盤状ブロック６の外型枠６１と円環状ブロック５の外型枠５１とは緩衝体３の外殻（鋼殻）を構成する。
【００３０】
支持部材設置工程は、支持部材Ｓを収納空間４に設置する工程であり、図３および図４に示すように、収納空間全域にわたり緩衝体２を支持する支持部材Ｓを収納空間４の下方域に設置する。支持部材Ｓは、収納空間４の延在方向全域にわたり廃棄体２を支持するものであれば、図３および図４に示すように、断面円弧状の滑り板のほか、単一若しくは複数並列させた棒状体、板状体等、任意のものを支持部材Ｓとすることができる。また、断面円弧状の滑り板の弧の長さは半円にわたるものでなくてもよく、廃棄体２を支持することができれば、半円よりも短くてもよい。たとえば、中心角が１２０度（３分の１円）、９０度（４分の１円）等の任意の長さのものとすることができる。
【００３１】
廃棄体収納工程は、廃棄体２を収納空間に収納する工程であり、図５および図６に示すように、設置した支持部材Ｓに廃棄体２を支持させて、廃棄体２を収納空間４に収納する。なお、廃棄体２の収納に際しては廃棄体収納装置Ｍを用いる。
【００３２】
支持部材除去工程は、収納した廃棄体２と緩衝体３との間から支持部材Ｓを取り除く工程である。本発明の実施の形態である廃棄体パッケージの製造方法では、図６に示すように、まず、収納空間４の上方域に設けられた廃棄体２と緩衝体３の内周面との間隙にペレット状または顆粒状に調整された粘土系遮水材料７を充填する。その後、図７に示すように、緩衝体３を回転させることにより、廃棄体２と緩衝体３の内周面との間に支持部材（滑り板）Ｓの肉厚よりも大きな間隙を開ける。そして、図８に示すように、収納した廃棄体２と緩衝体３の内周面との間から支持部材Ｓを取り除くとともに、図９に示すように、支持部材Ｓを取り除くことにより生じた廃棄体２と緩衝体３の内周面との間隙にペレット状または顆粒状に調整された粘土系遮水材料７を充填する。なお、支持部材Ｓには、支持部材Ｓを取り除くことにより生じた廃棄体２と緩衝体３の内周面との間隙にペレット状または顆粒状に調整された粘土系遮水材７を充填するための孔（図示せず）または溝（図示せず）が設けてある。また、支持部材Ｓを取り除くと同時にペレット状または顆粒状に調整された粘土系遮水材料７を充填する代わりに、支持部材Ｓを取り除いた後、生じた間隙に充填管（図示せず）を挿入し、ペレット状または顆粒状に調整された粘土系遮水材料７を充填してもよい。
【００３３】
廃棄体封入工程は、廃棄体２を封入する工程である。廃棄体封入工程では、図１０に示すように、まず、円盤状ブロック６を搬送し、円盤状ブロック６の軸方向が水平方向を向くようにローラーレールＲ上に定置する。すると、円環状ブロック５の軸方向と円盤状ブロック６の軸方向とが一致し、円環状ブロック５の外周面と円盤状ブロック６の外周面とが面一となる。その後、円環状ブロック５の外型枠５１と円盤状ブロック６の外型枠６１とをボルト（図示せず）あるいは機械式継手により緊結若しくは溶接することにより、廃棄体２を封入する。
【００３４】
上述した本発明の実施の形態である廃棄体パッケージ１の製造方法によれば、収納空間４に収納される廃棄体２を支持する支持部材Ｓを収納空間４の下方域に収納空間４の延在方向全長にわたり設置した後、支持部材Ｓに廃棄体２を支持させて廃棄体２を収納空間４に収納するので、内型枠を取り外した緩衝体３であっても廃棄体２を収納空間４に収納する際に緩衝体３を傷つけることがない。また、収納した廃棄体２と緩衝体３との間から支持部材Ｓを取り除くので、廃棄体２と緩衝体３との間に支持部材Ｓが残ることもない。
【００３５】
また、緩衝体３を回転させることにより廃棄体２と緩衝体３の内周面との間に支持部材Ｓの肉厚よりも大きな間隙を開け、支持部材Ｓを取り除くので、緩衝体３の内周面を傷つけることがない。
【００３６】
また、支持部材Ｓを取り除くことにより生じた廃棄体２と緩衝体３の内周面との間隙にペレット状または顆粒状に調整された粘土系遮水材料７を充填するので、遮水性能が向上する。
【００３７】
なお、廃棄体２と緩衝体３の内周面との隙間にペレット状または顆粒状に調整された粘土系遮水材料７を充填することなく、封入してもよい。これは、緩衝体３を構成するベントナイト系土質材料あるいはベントナイト系土質材料と骨材とを混練したものは、吸水した時に膨張する特性を有しているので、坑道内にこの廃棄体パッケージ１を埋設してから長期間経過し、地下水が内部に進入した際には、当該隙間は吸水膨張した緩衝体３によってシールされることにより、結果として廃棄体２から漏出した汚染水が廃棄体パッケージ１の外部へ漏れ出すことが抑制されるからである。
【符号の説明】
【００３８】
１    廃棄体パッケージ
２    廃棄体
３    緩衝体
４    収納空間
５    円環状ブロック
５０    粘土系遮水材料
５１    外型枠
６    円盤状ブロック
６０    粘土系遮水材料
６１    外型枠
７    ペレット状または顆粒状の粘土系遮水材料
Ｋ    処分坑道
Ｍ    廃棄体収納装置
Ｒ    ローラーレール
Ｒ１    軸
Ｒ２    ローラ
Ｓ    支持部材
【図１】
2011092901.tif 000003
【図２】
2011092901.tif 000004
【図３】
2011092901.tif 000005
【図４】
2011092901.tif 000006
【図５】
2011092901.tif 000007
【図６】
2011092901.tif 000008
【図７】
2011092901.tif 000009
【図８】
2011092901.tif 000010
【図９】
2011092901.tif 000011
【図１０】
2011092901.tif 000012
【図１１】
2011092901.tif 000013